Podtech/llm-jp-corpus-v4-ja_patent huggingface dataset:
(57)【要約】      （修正有）【課題】シャボン玉遊びが出来る手押し車遊具を提供する。【解決手段】シャボンボトル１４よりポンプ部Ａを介し吹口４に細いホース状の管を通りシャボン液を送る。モーター１５の動力によりファン９を回転させ、エアダクト５を通り吹口４へ風を送る。ファン上部に取り付けられたギァ８を介し吹き口前部のシャボン膜用部品３を回転させシャボン膜を連続して発生させる。これにより連続的にシャボン玉を発生することが出来る。【選択図】図３
0003130427.tif 000002
【実用新案登録請求の範囲】
【請求項１】
手押し車遊具にシャボン玉を自動発生させる装置を取り付けたことを特徴とする遊具
【請求項２】
手押し車遊具は小型手押し車遊具又は乗用手押し車遊具内部にシャボン玉装置を設置されていることを特徴とする請求項１に記載したシャボン玉を発生する手押し車遊具
【考案の詳細な説明】
【技術分野】
【０００１】  本考案は手押し車等にシャボン玉装置を内蔵することに関する。
【背景技術】
【０００２】  従来の手押し車遊具は地面と接地する本体でのアクション又は音による遊びが主だったものである。
【考案の開示】
【考案が解決しようとする課題】
【０００３】  しかしながら従来の技術によれば遊びの面白さが単純であり、直ぐに飽きてしまう。そこで本考案は、シャボン玉遊びが出来る手押し車遊具を提供することを課題とする。
【課題を解決するための手段】
【０００４】以上の課題を解決するために、第一考案は手押し車遊具にシャボン玉を自動発生させる装置を取り付けたことを特徴とする手押し車遊具である。
また第二考案は、小型手押し車遊具又は乗用手押し車遊具内部にシャボン玉装置を設置されていることを特徴とするシャボン玉を発生する手押し車遊具である。
【考案の効果】
【０００５】  第一考案、第二考案によれば、手押し車遊具にシャボン玉装置を内蔵することにより、遊びの幅が広がりより商品価値が高まった。
【考案を実施するための最良の形態】
【０００６】  以下、本考案を実施する最良の形態を、飛行機タイプの手押し車遊具を例として図面に従い説明する。【０００７】図１は本実施形態のシャボン玉装置内臓手押し車遊具の内部構造の全体を示している【０００８】このシャボン玉装置内臓手押し車遊具は地面と接地する本体とスイッチを含む取手により構成される。【０００９】図３はシャボン玉装置の説明部である。まず図３に示したようにシャボンボトル１４よりポンプ部Ａを介し吹口４に細いホース状の管を通りシャボン液を送る、モーター１５の動力によりファン９を回転させ、エアダクト５を通り吹口４へ風を送る、ファン上部に取り付けられたギァ８を介し吹き口前部のシャボン膜用部品３を回転させシャボン膜を連続して発生させる。これにより連続的にシャボン玉を発生することが出来る。
【実施形態の効果】
【００１０】  この実施形態によればシャボン玉装置を内臓したことで手押し車遊びをしながらシャボン玉遊びが出来るため遊びの幅が広がり商品価値が向上する。
【他の実施形態】
【００１１】  図１の実施形態では動力部分にモーターを利用していたが他の実施形態ではモーターを使用せず、手押し車遊具の車輪の回転を利用したシャボン玉装置でもよい。
【図面の簡単な説明】
【００１２】
【図１】この考案の内部構造の全体図である。
【図２】従来の手押し車遊具である。
【図３】シャボン玉装置部の詳細図である。
【符号の説明】
【００１３】１．受け皿
２．ボトル結合部
３．シャボン膜用部品
４．吹口
５．エアダクト
６．ギァ小
７．ギァ大
８．ギァ縦
９．ファン
１０．電池ボックス
１１．ギァ縦
１２．ギァ中
１３．ギァ大
１４．シャボンボトル
１５．モーター
Ａ．ポンプ部
【図１】
0003130427.tif 000003
【図２】
0003130427.tif 000004
【図３】
0003130427.tif 000005
(57)【要約】【課題】    従来では取りにくく手間取った首回り、頭側部、腕のつけ根を含め、全身の毛髪・塵埃を手早く確実に取り除けるようにする。【解決手段】    柔軟性に富んだ素材で造った手袋１の手のひら側に粘着面２を設け、この粘着面に剥離紙３を貼り付けてなる毛髪・塵埃除去手袋。【選択図】図１
0003130441.tif 000002
【実用新案登録請求の範囲】
【請求項１】
柔軟性に富んだ素材で造った手袋の手のひら側に粘着面を設け、この粘着面に剥離紙を貼り付けてなる毛髪・塵埃除去手袋。
【考案の詳細な説明】
【技術分野】
【０００１】  本考案は、衣服に付着した毛髪・塵埃を除去する手袋である。
【背景技術】
【０００２】  食品工場において、作業場に入室の際、エアーシャワー室通過後、粘着ローラーで毛髪・塵埃除去を仕上げていた。
【考案の開示】
【考案が解決しようとする課題】
【０００３】  人体のアゴの下、首の回り、耳の回り、腕のつけ根等の凹凸のある部位には、粘着ローラーがあたりにくく、毛髪・塵埃を完全に除去することはできなかった。
粘着ローラーで丹念に除去すれば、できないことはないが、１人１人に時間がかかり過ぎる。塵埃付着後に、剥離紙を剥がして粘着面を出すのも手間がかかる。
このようなことによる毛髪取り残し、食品への混入は企業の信用にかかわることである。
【課題を解決するための手段】
【０００４】  本考案毛髪・塵埃除去具は、柔軟性に富んだ素材の手袋の手のひら側に、粘着剤を塗布し、人体の凹凸曲面に沿わせ、毛髪・塵埃を確実に取り去ることができるようにしたものである。
【考案の効果】
【０００５】  上述の様に、本考案の毛髪・塵埃除去手袋は柔軟性に富んだ素材でできているので、人体の凹凸によく沿い、凹部の毛髪・塵埃を除去することができ、それらの取り残しが少なく、手早く清潔にできる。
大掛かりな装置・大きな電力を使わなくとも、手軽に確実に除去できる。
粘着ローラーよりも毛髪・塵埃の付着状況を確認しやすく、次の拭き取りのめやすとなる。
一双ごとに使い捨てるので、清潔である。
【考案を実施するための最良の形態】
【実施例】
【０００６】  実施例の毛髪・塵埃除去手袋は、手袋１の手のひら側に粘着面２を設け、その上に剥離紙３を付けたものである。ポリエチレンなど柔軟な素材の手袋１一双の、手のひら側に粘着剤を塗布し、剥離紙３を付ける。
手袋として、指が分岐していないもの、二つに分岐したもの、五つに分岐したもの、指先が切れているものを使用することができる。
【実施例】
【０００７】  この手袋を使用する時は、剥離紙３を剥がし両手に装着して、頭頂部・頭側部・顔の下・胸・肩・背をはじめ全身を包むように押さえて沿わせる。
毛髪付着の多い、頭側部・顔の下・首回りは特に念入りに押さえる。
【図面の簡単な説明】
【０００８】
【図１】実施例の毛髪・塵挨除去手袋の正面図
【図２】図１のＡ−Ａ断面拡大図
【符号の説明】
【０００９】    １．手袋
２．粘着面
３．剥離紙
【図１】
0003130441.tif 000003
【図２】
0003130441.tif 000004
(57)【要約】【課題】ハンガー、洋服、帽子、バッグ等を掛けるためのフックは服等を掛ける実用的な面と壁面を装飾する効果を兼ねた商品があるが壁面をより装飾性を高めるために、フックを取り付けた板の周囲に額縁で取り囲み、額縁で装飾したフック付きの額を構成し提供する。【解決手段】フックを立体的なアート作品に見立て、立体的なアート作品のフックを板に取り付け、板の周囲に絵画等を装飾する額縁で取り囲み、額縁で装飾したフック付きの額を構成する。【選択図】図１
0003130446.tif 000002
【実用新案登録請求の範囲】
【請求項１】
ハンガー、洋服、帽子、バッグ等を掛けるためのフックを板に取り付け、板の周囲に額縁で取り囲みフック付き額を構成し絵画を飾るように壁に取り付け、フック付き額にハンガー、洋服、帽子、バッグ等を掛けて使えるようにしたことを特徴とするフック付き額。
【考案の詳細な説明】
【考案の詳細な説明】
【考案が解決しようとする課題】
【０００１】  この考案は、ハンガー、洋服、帽子、バッグ等を掛けるためのフックにかかるものであり従来、いわゆるフックは洋服等を掛ける実用的な面と壁面を装飾する効果を兼ねた商品があるが壁面をより装飾性を高めるために、フックを取り付けた板の周囲に額縁で取り囲み、額縁で装飾したフック付きの額を構成し提供する。
【課題を解決するための手段】
【０００２】  この考案は、上記する目的を達成するにあたって、具体的には壁面をより装飾性を高めるためにフックを立体的なアート作品に見立て、立体的なアート作品を板に取り付け、板の周囲に絵画等を装飾する額縁で取り囲み、フック付きの額を構成する。
【考案の効果】
【０００３】  以上の構成になるこの考案のフック付き額を壁面に取り付けることにより壁面を絵画を飾るように装飾することができ、さらにハンガー、洋服、帽子、バッグ等を掛けることができる。
【図面の簡単な説明】
【図１】  図１はこの考案にかかるフック付き額の具体的な実施例を示す概略的な正面図である。
【図２】  図２はこの考案にかかるフック付き額の具体的な実施例を示す概略的な側面の断面図である。
【符号の説明】
１  フック付き額
２  フック
３  額縁
４  フック取り付け板
５  壁面取り付け用部材
【図１】
0003130446.tif 000003
【図２】
0003130446.tif 000004
(57)【要約】      （修正有）【課題】人間の肉眼による残像現象を利用して防音壁１外の景色が見通せると共に，防音壁からの騒音の漏れや拡散を低減できる防音壁を提供する。【解決手段】防音壁に所定幅の空間部を所要間隔で設けると共に，空間部の下流側辺に沿って風向板を突設し，風向板取基部の縦一直線に開口部を設け高速車両から発生する風圧を利用してエアカ−テンを発生させ，防音壁からの音の漏れや，拡散を低減して，交通騒音を低減可能にした。【選択図】図１
0003130449.tif 000002
【実用新案登録請求の範囲】
【請求項１】
高速走行通行帯に沿って立設された防音壁において，前記防音壁に走行通行帯に沿った幅が１０ｃｍから１５ｃｍの空間部を４５ｃｍから２５０ｃｍ間隔で設けた事を特徴とする防音壁。
【請求項２】
上記空間部の下流側辺に沿って風向板を突設し，同風向板取付基部に縦一直線に開口部を設けた事を特徴とする請求項１に記載の防音壁。
【請求項３】
上記空間部の隙間を高速走行通行帯側から防音壁の厚さ外側に末広がりに開口し視角を広げた事を特徴とする請求項１に記載の防音壁。
【考案の詳細な説明】
【考案の詳細な説明】
【技術分野】
【０００１】本考案は，高速道路や新幹線高速鉄道，超高速度走行車両用の防音壁であって防音壁外の景色を良く見通せる防音壁に関するものである。
【背景技術】
【０００２】従来の防音壁にはアクリル製の透明板を介して可視可能としたタイプの防音壁が用いられてきた。
【考案が解決しようとする課題】
【０００３】アクリル製の透明板を組み込んだ防音壁は，劣化や疵や汚れにより，視界が次第に悪くなっていく不具合があった。
【課題を解決するための手段】
【０００４】本考案に係わる防音壁は，高速走行通行帯に沿って立設された防音壁に，走行通行帯に沿って幅が１０ｃｍから１５ｃｍの空間部を４５ｃｍから２５０ｃｍ間隔で設けて，人間の肉眼による残像現象を利用して防音壁外の景色が見通せる防音壁とした。
【０００５】更に，前記空間部の下流側辺に沿って風向板を突設すると共に，同風向板の取基部に開口部を設けた防音壁として，防音壁からの騒音の漏れや，拡散を低減し，道路，鉄道を始めとする交通騒音を低減出来る防音壁を提供可能にした。又，上記空間部の隙間を高速走行通行帯側から防音壁の厚さ外側に末広がりに開口して視界を広く可視可能にした防音壁を提供した。
【考案を実施するための最良の形態】
【０００６】以下，本考案の実施例について説明する。
図１は本考案に係わる実施例で人間の肉眼による残像現象を利用して防音壁外の景色が見通せる防音壁の具体例を示す図である。図１において，１は防音壁を，２は防音壁に設けた空間部を，３は防音壁の空間部の隙間と次の空間部の間隔を示す。
空間部２の下流側辺に沿って風向板４を突設し，風向板４の取付基部に奥部の縦一直線に開口部を設け高速走行中の車両の風圧を利用してエアカ−テンを発生させた。その結果，エアカ−テンによる防音壁１からの騒音の漏れや，拡散を低減して，道路，鉄道を始めとする交通騒音を低減できた。
図２は図１を上から見た説明図で図中のＡは防音壁の空間部分が逆八字型に末広がりに視角が広がる範囲を，Ｂは図１で説明した風向板４の取付基部に奥部の縦一直線に開口部を設けエアカ−テンが発生する箇所を示す。
風向板の取付け角度αは速度等の状況に応じて角度を変えて調整した。
尚，図２中のＣはａ点からｂ点の間で視角が広がる区間を示す。
【考案の効果】
【０００７】本考案に係わる防音壁は，防音壁に，走行車両の速度に応じ，空間部を所要間隔で設けたので，人間の肉眼による残像現象を利用して防音壁外の景色が見通せる防音壁とした。
【０００８】更に，上記空間部の下流側辺に沿って風向板を突設し，風向板の奥部の縦一直線に開口部を設けて，高速走行車両が走行する時発生する風圧を利用してエアカ−テンを作り，防音壁からの騒音の漏れや，拡散を低減して，交通騒音を低減可能にした。
【０００９】更に，上記空間部の防音壁の厚みを，逆八字型に加工して人間の肉眼の視角を広げる事を可能にした。
【一実施例】
【００１０】図１を参照にして説明する。
本実施例では，時速１００ｋｍの時秒速は約２７．７ｍ，一秒間に６０回の残像現象を発生させ人間の肉眼で見るとき，防音壁の空間部と次の空間部の間隔は約４５ｃｍで良い。新幹線高速鉄道で時速２７０ｋｍの時，走行体は一秒間７５ｍ走行するので，７５ｍの間に，６０回の残像現象を発生させ，人間の肉眼で見るとき，防音壁の空間部と次の空間部の間隔は約１．２５ｍで良い。
防音壁の空間部と次の空間部の間隔を約２．５ｍ間隔で作れば時速５４０ｋｍ以上の速度でも防音壁の外景が見通せる。
【他実施例】
例えば，時速８０ｋｍ以下の時，一秒間に６０回の残像現象を発生させる為には間隔が３７ｃｍ以内となり，車両の走行中の風圧が不充分で適切なエアカ−テンが発生出来ず，騒音と拡散がひどく実用的ではない。
【図面の簡単な説明】
【図１】本考案に係わる具体例を示す斜示図である。
【図２】図１を上から見た説明図である。
【符号の説明】
１：防音壁
２：防音壁に設けた空間部
３：防音壁の空間部の隙間と次の空間部の隙間
４：風向板
Ａ：防音壁の空間部分が逆八文字型に末広がりに視角が広がる範囲。
Ｂ：風向板取基部の縦一直線の開口部にエアカ−テンが発生する箇所を示す。
Ｃ：ａ点からｂ点の間が視角が広くなる区間を示す。
【図１】
0003130449.tif 000003
【図２】
0003130449.tif 000004
(57)【要約】      （修正有）【課題】透明基材の片面上に粘着層部とラベル印字部を形成するとともに，剥離材を積層して構成される透明粘着ラベルにおいて，ラベル印字部上に文字，記号などの表示を反転印字し，剥離材を剥離して粘着部を対象物に貼り付けることにより，文字，記号が汚れたり，直接擦られたりしない適用範囲の拡大を可能とする透明粘着ラベルを提供する。【解決手段】透明基材１の片面上に粘着層部とラベル印字部２を形成するとともに，剥離材４を積層して構成される透明粘着ラベルにおいて，ラベル印字部に文字，記号などの表示を反転印字３し，剥離材を剥離して粘着部を対象物に貼り付けることにより，ラベル印字部の反対面を表として文字，記号を正順表示する。【選択図】図１
0003130445.tif 000002
【実用新案登録請求の範囲】
【請求項１】
透明基材の片面に粘着層部とラベル印字部を形成するとともに，剥離材を積層して構成される透明粘着ラベルにおいて，ラベル印字部に文字，記号などの表示を反転印字し，剥離材を剥離して粘着層部を対象物に貼り付けることにより，ラベル印字部の反対面を表面として文字，記号などが正順表示されるため，表面が擦られる対象に貼り付けた場合においても，表示が消えたり汚れたりし難い特徴を有する透明粘着ラベル。
【考案の詳細な説明】
【技術分野】
【０００１】透明基材の片面上に粘着層部とラベル印字部を形成するとともに，剥離材を積層して構成される透明粘着ラベルにおいて，ラベル印字部に文字，記号などの表示を反転印字し，剥離材を剥離して粘着部を対象物に貼り付けることにより，ラベル印字部の反対面を表面として文字，記号などが正順表示される透明粘着ラベル。
【背景技術】
【０００２】透明基材の片面に粘着層と剥離材を積層して構成される従来の透明粘着ラベルは，文字，記号などが表示されている面を表面として，剥離材を剥離して裏面を対象物に貼り付ける構成であるため，文字，記号などの表示は汚れ易く，擦られて消え易いため，表面が擦られる対象に対しての適用は不向きであり，適用範囲が限定される欠点を有していた。
【考案が解決しようとする課題】
【０００３】透明基材の片面上に粘着層部とラベル印字部を形成するとともに，剥離材を積層して構成される透明粘着ラベルにおいて，ラベル印字部上に文字，記号などの表示を反転印字し，剥離材を剥離して粘着部を対象物に貼り付けることにより，ラベル印字部の反対面を表として文字，記号などが正順表示されるため，文字，記号が汚れたり，直接擦られたりしないため，例えば靴の内面にネームを表示する場合など，常に擦られるような対象に対しての利用も可能となり，適用範囲の拡大を可能とする透明粘着ラベルを提供する。
【課題を解決するための手段】
【０００４】透明基材の片面上に粘着層部とラベル印字部を形成するとともに，剥離材を積層して構成される透明粘着ラベルにおいて，ラベル印字部に文字，記号などの表示を反転印字し，剥離材を剥離して粘着部を対象物に貼り付けることにより，ラベル印字部の反対面を表として文字，記号を正順表示する。
【考案の効果】
【０００５】透明粘着ラベルにおいて，ラベル印字部上に文字，記号などの表示を反転印字し，剥離材を剥離して粘着部を対象物に貼り付けることにより，ラベル印字部の反対面を表として文字，記号が正順表示され，文字，記号が汚れたり，直接擦られたりしないため，例えば靴の内面にネームを表示する場合など，常に擦られるような対象に対しての利用も可能となり，適用範囲の拡大が可能となる。
【考案を実施するための最良の形態】
【０００６】図１は本考案実施例の概念図であり，透明樹脂からなる透明基材１の片面に，網目で示される粘着層部と，透明基材のラベル印字部２が構成されている。粘着層は透明な粘着剤が使用される。ラベル印字は図３に示す如くラベル印字部の反対面から見て正順方向となるように，インクジェット・プリンターなどで反転印字される。４は紙などによる剥離材である。印字する場合，ラベル印字部２は開口する必要があり，図２の５に示すように予め剥離材が開口状態にされていても良く，印字の際にラベル印字部のみ剥離材を剥離して開口する形態でも良い。ラベル印字部に粘着層を形成しないのは，粘着剤が印字に際してプリンターの用紙送りに悪影響を与えないためである。ラベル印字部への反転印字はパソコンソフトによる文字，記号などの反転機能を利用する。貼り付け対象物に対しては，ラベル印字された面を裏面として貼り付けるため，印字の反対面が表面側となり，汚れや擦りにより文字や記号などの表示が消されることが防がれる。このため，靴の内面などにネーム表示する場合など，ラベルが常時擦られるような対象に貼り付けても擦りにより表示が消されることは無く，ラベルの利用範囲が大幅に広がる。ラベルは一枚単位ではなく，図４に示すごとく，複数枚を一枚の剥離材に集合構成することも可能である。
【実施例】
【０００７】透明基材としては，１５０μｍ厚のポリエステル樹脂を使用したが，ポリプロビレン，ポリエチレンなどからなるフィルムシートが適用可能である。粘着層は４０μｍ厚で，ゴム系粘着剤，シリコーン系粘着剤なども可能である。剥離材としては，２５０μｍ厚の紙を使用したが，含浸紙や樹脂フィルムなどでも良い。透明基材は５０×３０ｍｍ，ラベル表示部は４０×２０ｍｍで構成し，対象物に貼り付けるための粘着層部は幅５ｍｍとした。粘着層部は広いほど粘着力が強くなるが，ラベル表示部の面積が減るため，適切な寸法を選択することが必要である。本実施例では，ラベル印字部に粘着層を形成していないが，印字に使用するプリンターの機能によっては，用紙送りに粘着剤が影響を与えないものもあり，このような場合は，ラベル印字部２に関しても透明な粘着剤で粘着層を形成すれば，表示には影響を与えず，対象物へのラベルの貼り付け強度を強くすることが出来る。なお，透明基材やラベル印字部に適切な着色を施したり，ラベル印字部の背景を印字時に着色したりなども可能であり，各種のディメンジョンに関しては，ラベルの使用目的に合わせて最適化する事が望ましいなど，本考案の登録請求の範囲を逸脱しない範囲であれば種々変形実施が可能である。
【図面の簡単な説明】
【０００８】
【図１】透明粘着ラベルの一実施例を示す概念図を示す。
【図２】剥離材の概念図を示す。
【図３】透明基材の概念図を示す
【図４】６枚の透明粘着ラベルを一枚の剥離材上に構成した概念図を示す。
【符号の説明】
１  透明基材
２  ラベル印字部
３  反転文字
４  剥離材
５  印字開口部
【図１】
0003130445.tif 000003
【図２】
0003130445.tif 000004
【図３】
0003130445.tif 000005
【図４】
0003130445.tif 000006
(57)【要約】      （修正有）【課題】吸玉による吸角療法に、ラジウムを組み込んでの血行促進の放射線効果を併用するものが認められない。【解決手段】軟質弾性素材の吸玉の内側表面に、リング形状のラジウムを埋め込む。１はシリコンゴムなどの軟質弾性素材の吸玉本体で、その内側に設けられた溝３にリング形状のラジウム２を１本、または複数本埋め込む。この吸玉の吸着力による吸角療法を施術すれば、リング形状のラジウム２からの放射線効果による血行促進も得られて、より効果的な吸角療法を実施することができる。【効果】吸玉の吸着力による吸角療法とともに、吸玉の内側表面にラジウムを組み込むことにより血行促進の放射線効果が新たに発生する。【選択図】図２
0003130453.tif 000002
【実用新案登録請求の範囲】
【請求項１】
軟質弾性素材の吸玉の内側表面に、リング形状のラジウムを埋め込んだことを特徴とする吸角療法器具。
【請求項２】
軟質弾性素材の吸玉の内側表面に、ラジウム粉末を塗布したことを特徴とする吸角療法器具。
【請求項３】
軟質弾性素材の吸玉の内側表面に、コイン形状のラジウムを埋め込んだことを特徴とする吸角療法器具。
【考案の詳細な説明】
【技術分野】
【０００１】  本考案は、軟質弾性素材で成形された吸角療法器具としての吸玉に関するものである。
【背景技術】
【０００２】  シリコンゴムなどの軟質弾性素材のみで成形された、吸角療法器具としての吸玉がある。
【特許文献１】  登録実用新案第３０６１９９５号公報
【考案の開示】
【考案が解決しようとする課題】
【０００３】  吸玉の吸着力による吸角療法はあったが、形成物にラジウムを組み込んでの血行促進の放射線効果を併用するものが認められない。
【課題を解決するための手段】
【０００４】  軟質弾性素材の吸玉の内側表面に、リング形状のラジウムを１本、または複数本埋め込む。【０００５】  軟質弾性素材の吸玉の内側表面に、ラジウム粉末を塗布する。【０００６】  軟質弾性素材の吸玉の内側表面に、コイン形状のラジウムを埋め込む。
【考案の効果】
【０００７】  吸玉の吸着力による吸角療法とともに、吸玉の内側表面にラジウムを組み込むことにより血行促進の放射線効果が新たに発生する。
【考案の実施するための最良の形態】
【０００８】  シリコンゴムなどの軟質弾性素材の吸玉本体の内側に、リング形状に加工したラジウムを１本、または複数本埋め込む。埋め込み位置は、円形の吸玉の中心にリング形状ラジウムの中心を合わせ同心円上にすることにより、真空吸着の変形による吸玉本体からの脱落を防止することができる。埋め込み法は、吸玉本体の内側円周に沿って施した溝にリング形状ラジウムを押して嵌め込み、これにより脱落を防止することができる。
【０００９】  シリコンゴムなどの軟質弾性素材の吸玉本体の内側に、ラジウム粉末をシリコン樹脂に混合して塗布する。これにより、真空吸着の変形による吸玉本体からのラジウム粉末の脱落を防止することができる。
【００１０】  シリコンゴムなどの軟質弾性素材の吸玉本体の内側に、コイン形状に加工したラジウムを埋め込む。埋め込み位置は、円形の吸玉の中心にコイン形状ラジウムの中心を合わせ同心円上にすることにより真空吸着の変形による吸玉本体からの脱落を防止することができる。埋め込み法は、図５および図６および図７のごとく吸玉本体の内側に円形の奥広型埋め込み口（６）を施し、コイン形状のラジウム（５）を押し込むようにして嵌め込むことにより脱落を防止することができる。
【実施例１】
【００１１】  以下、図１および図２に従って実施例を説明する。
（１）はシリコンゴムなどの軟質弾性素材の吸玉本体で、その内側に設けられた溝（３）にリング形状のラジウム（２）を１本、または複数本埋め込む。この吸玉の吸着力による吸角療法を施術すれば、リング形状のラジウム（２）からの放射線効果による血行促進も得られて、より効果的な吸角療法を実施することができる。
【実施例２】
【００１２】  以下、図３および図４に従って実施例を説明する。
（１）はシリコンゴムなどの軟質弾性素材の吸玉本体で、その内側にシリコン樹脂に混合されたラジウム粉末（４）を塗布する。この吸玉の吸着力による吸角療法を施術すれば、ラジウム粉末（４）からの放射線効果による血行促進も得られ、より効果的な吸角療法を実施することができる。
【実施例３】
【００１３】  以下、図５および図６および図７に従って実施例を説明する。
（１）はシリコンゴムなどの軟質弾性素材の吸玉本体で、その内側に円形の奥広型埋め込み口（６）を施し、そこへコイン形状のラジウム（５）を押し込むようにして嵌め込む。この吸玉にて吸着力による吸角療法を施術すれば、コイン形状のラジウム（５）からの放射線効果による血行促進も得られ、より効果的な吸角療法を実施することができる。
【図面の簡単な説明】
【００１４】
【図１】  リング形状のラジウム（２）を吸玉本体（１）に施した溝（３）に嵌め込む前の底からの斜視図である。
【図２】  リング形状のラジウム（２）を吸玉本体（１）に施した溝（３）に嵌め込んだ断面図である。
【図３】  ラジウム粉末（４）を塗布した吸玉本体（１）の底からの斜視図である。
【図４】  ラジウム粉末（４）を塗布した吸玉本体（１）の断面図である。
【図５】  コイン形状のラジウム（５）を奥広型埋め込み口（６）に嵌め込んだ、吸玉本体（１）の底からの斜視図である。
【図６】  コイン形状のラジウム（５）を奥広型埋め込み口（６）に嵌め込む前の断面図である。
【図７】  コイン形状のラジウム（５）を奥広型埋め込み口（６）に嵌め込んだ断面図である。
【符号の説明】
【００１５】  １  吸玉本体
２  リング形状のラジウム
３  溝
４  ラジウム粉末
５  コイン形状のラジウム
６  奥広型埋め込み口
【図１】
0003130453.tif 000003
【図２】
0003130453.tif 000004
【図３】
0003130453.tif 000005
【図４】
0003130453.tif 000006
【図５】
0003130453.tif 000007
【図６】
0003130453.tif 000008
【図７】
0003130453.tif 000009
(57)【要約】      （修正有）【課題】女性が肌の手入れ等で使用する水素水含浸毛管シートパックを提供する。【解決手段】水密性のパック３に毛管シート１を水素水２に浸漬した状態で封入してあることを特徴とする水素水含浸毛管シートパックであり、毛管シートが一枚のフェイスシートを適当に折り畳んだものである構成。【選択図】図１
0003130460.tif 000002
【実用新案登録請求の範囲】
【請求項１】
水密性のパックに毛管シートを水素水に浸漬した状態で封入してあることを特徴とする水素水含浸毛管シートパック。
【請求項２】
毛管シートが一枚のフェイスシートを適当に折り畳んだものである請求項１の水素水含浸毛管シートパック。
【考案の詳細な説明】
【技術分野】
【０００１】
本考案は、女性が肌の手入れ等で使用する水素水含浸毛管シートパックに関するものである。
【背景技術】
【０００２】
最近、水に水素ガスを接触させたりして水素を混入した水素水が身体に種々の悪影響を与える活性酸素を抑えるとして注目を集めており、飲料水や点滴液等に使用されている。もちろん、その効用は肌に付けてもよいのであり、綿等に吸わせて肌に付けていた。しかし、これを行うには、水素水等が常備されている自宅の洗面所等に限られ、外出先や旅行等ではこれができなかった。仮に、水素水を持ち歩いたとしても、用具等の関係で簡単には肌に塗れなかった。
【考案の開示】
【考案が解決しようとする課題】
【０００３】
本考案は、このような課題を解決するものであり、水素水の携帯と塗布を同時にできるようにしたものである。
【課題を解決するための手段】
【０００４】
このため、本考案は、請求項１に記載の、水密性のパックに毛管シートを水素水に浸漬した状態で封入してあることを特徴とする水素水含浸毛管シートパックを提供するとともに、これにおいて、請求項２の、毛管シートが一枚のフェイスシートを適当に折り畳んだものである構成を提供したものである。
【考案の効果】
【０００５】
請求項１の考案によると、水素水と毛管シートを同時に携帯できるから、何処にいても簡単に塗布することができる。
【考案を実施するための最良の形態】
【０００６】
図１は本考案の一例を示す水素水含浸毛管シートパックの製造方法を示す説明図であるが、まず、毛管作用のある織布、不織布からなる毛管シート１を用意する。本例の毛管シート１は顔専門のフェイスシートであり、予め、目、鼻、口の部分等をくり抜いてある。もちろん、顔専門のものでなくてもよく、その形態は自由である。そして、これを適当に折り畳んでおく。
【０００７】
次に、水素水２を用意し、水素水２と毛管シート１を一緒にしてアルミ製等のパック３に封入する。なお、水素水２については特許第３３４９７１０号にその製法等が記載されており、市販もされているから、それを使用すればよい。また、封入は熱シール等によって水素水２が漏出しないようにすれば足り、この目的のものであれば、樹脂製等のパック３でもよい。このとき、水素水２は十分な量を用意し、毛管シート１が飽和状態で浸漬された状態にしておく。
【０００８】
以上によれば、携帯もできるから、任意の場所でパック３の封を解き、中の毛管シート１を取り出して必要な個所に当てればよい。そして，用済みの毛管シート１やパック３は遺棄すればよい。なお、パック３に封入する毛管シート１は一枚が好ましく、この点で使い切りの消耗品ということになる。
【図面の簡単な説明】
【０００９】
【図１】水素水含浸毛管シートパックの製造方法を示す説明図である。
【符号の説明】
【００１０】
１      毛管シート
２      水素水
３      パック
【図１】
0003130460.tif 000003
(57)【要約】      （修正有）【課題】冬季雪国では屋根に大量の雪が積もり雪おろし雪カキも大変苦労する。【解決手段】屋根全域にヒーターパネルを取付ければ解消する。１は、ヒーターパネル本体、２は電気ヒーター（床暖房用）、３はヒーター接続ジョイント、５はガラス押さえ板である。【選択図】図１
0003130211.tif 000002
【実用新案登録請求の範囲】
【請求項１】
冬の季節雪の多い地方では２ｍから３ｍの積雪に覆われます
（豪雪地域）
家屋倒壊や雪おろしの時事故でケガや死亡される方が毎年数件の事件をテレビ、新聞でみます、私に何か協力出来ないかなと思い２０数年前太陽熱温水器（ソーラーシステム）の全盛期毎日のように屋根に上りソーラーパネルの取付工事をしていた事を思い出し屋根に（ヒーターパネル）を取付ければ積雪の解消が出来るのではとヒーターパネルを考案しました。
これからも高齢者社会が進んでいく中、大手メーカーでは高齢者配慮の商品が多く出ています
このヒーターパネルもそうゆう事を踏まえて考案しました。
【考案の詳細な説明】
【技術分野】
【０００１】  本考案は冬季雪の多い地域に関する。
【背景技術】
【０００２】  屋根に積もった雪を雪おろしや雪カキなど危険な方法でしか出来なかった、しかも大きな家など大変苦労されている
【課題を解決するための手段】
【０００３】  そこで屋根にヒーターパネルを付けておけば雪が水化し屋根からトユをつたって排水構へ流れます
雪も積もらず安心して夜も睡眠できます。
【図面の簡単な説明】
【０００４】
【図１】  ヒーターパネルの平面図
【図２】  ヒーターパネルの断面図
【図３】  設置例
【符号の説明】
【０００５】  １    ヒーターパネル本体
２    電気ヒーター（床暖房用）
３    ヒーター接続ジョイント
４    表面ガラス（強化ガラス）
（人が乗っても割れません）
表面温度は３５〜５０℃  サーモスタットで調整
５    ガラス押さえ板
【図１】
0003130211.tif 000003
【図２】
0003130211.tif 000004
【図３】
0003130211.tif 000005
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
（１）たて１，８ｍ横０，９ｍ巾７，５ｃｍのパネルケース
（２）その中に電気ヒーターを取付ける
以上の構造からなるヒーターパネル。
(57)【要約】      （修正有）【課題】従来のノートパソコンにおいて、使用するときに、ディスプレイ部分が低く、背中を丸めて下を見るように使用しなければならず、姿勢の悪化や肩こりなどを招くという問題を解決する。【解決手段】ノートパソコンのディスプレイ部分を可動式とし、ディスプレイ部分を高くすることで、姿勢よくパソコンを操作することができる。また、そのときに、ノートパソコンが背面の方に倒れそうになっても、それを防止することができるように、引き出しを設けている。【選択図】図１
0003130213.tif 000002
【実用新案登録請求の範囲】
【請求項１】
ノートパソコンのディスプレイ部を上下に可動のものとし、キーボード部の上部にノートパソコンが背面に倒れるのを防ぐための引き出し式の出っ張りをつける。
【考案の詳細な説明】
【技術分野】
【０００１】
本考案は、一般に用いられているノートパソコンのディスプレイ部分に関する。
【考案の開示】
【考案が解決しようとする課題】
【０００２】
現在のノートパソコンは、長時間使用すると、うつむき加減の姿勢のため姿勢が悪くなり、また、肩の凝りなどが激しくなり身体的な負担が大きいので、これらの課題を解決しようとするものである
【課題を解決するための手段】
【０００３】
本考案は、ノートパソコンのディスプレイ部を上下に可動するものとし、またノートパソコンのキーボード部の上部に引き出し式の支え板を付け背面に倒れるのを防ぎ、ディスプレイを高い部分に移動できるものとしている。
【考案の効果】
【０００４】
上述のように、ディスプレイ部を高い位置に移動することで、ノートパソコン使用時の、姿勢の悪さと、肩の凝りを改善するのに極めて有効である。
【考案を実施するための最良の形態】
【０００５】
ディスプレイ部の左右の部分２を固定されたものとし、ディスプレイ部３のみ上下に可動するものとする。ディスプレイの高さは段階的に固定できるものとする。また、キーボード上部に引き出し４をつけることで、ノートパソコンが背面方向に倒れるのを防止している。
【０００６】
また、ディスプレイ左右の部分を可倒式５のものとしディスプレイが最下部に位置する時、図３のように固定し、持ち運びがしやすい形に固定することもできるようにするなども考えられる。
【図面の簡単な説明】
【０００７】
【図１】本考案のノートパソコン外観斜視図である。
【図２】本考案の考えられる形態の図である。
【図３】図２のノートパソコンの持ち運びなどの時の形態である。
【符号の説明】
【０００８】
１      ノートパソコンキーボード部
２      ディスプレイ支柱部
３      ディスプレイ部
４      引き出し部
５      ディスプレイ枠
【図１】
0003130213.tif 000003
【図２】
0003130213.tif 000004
【図３】
0003130213.tif 000005
【手続補正書】
【提出日】平成18年12月15日(2006.12.15)
【手続補正１】
【補正対象書類名】実用新案登録請求の範囲
【補正対象項目名】請求項１
【補正方法】変更
【補正の内容】
【請求項１】
ディスプレイ部が上下に可動できるものとし、キーボード部の上部にノートパソコンが背面側に倒れるのを防ぐための引き出し式の出っ張りがついているという構造を有するノートパソコン。
(57)【要約】      （修正有）【課題】犬や猫用の洋服は多くは人間の洋服と同じく頭からかぶったりボタンで留めたりと、なかなか簡単には着せられない問題点を有していた。【解決手段】洋服の胸又は腹の部分にマジックテープ１を付ける。洋服の背中のところに輪２を取り付ける。そして肩紐を輪に通す。【選択図】図１
0003130203.tif 000002
【実用新案登録請求の範囲】
【請求項１】
胸又は腹の位置で留めたマジックテープによりサイズが自由になる洋服。
【請求項２】
背中の位置に輪を取り付け肩紐を通す事を特長としてサイズが自由になる洋服。
【考案の詳細な説明】
【技術分野】
【０００１】  本考は、犬や猫の洋服を簡単に着せることが出来る。
【背景技術】
【０００２】  従来は、犬や猫の洋服はあるけれど服を着せたり脱がせたりが困難である。
【考案の開示】
【考案が解決しようとする課題】
【０００３】  従来、犬や猫用の洋服の多くは人間の洋服と同じように頭からかぶせて、足を出して着せる物も多々あるが着せたり、脱がせたりが困難である問題点を有していたので、前述の欠点を解決しようとするものである。
【課題を解決するための手段】
【０００４】  本考案は、上記目的を達成するために洋服の肩紐は後の輪に通し、マジックテープを付け胸又は腹の位置で留めることにより問題点を解決している。
【考案の効果】
【０００５】  従来の犬や猫の洋服よりも、より簡単に着せたり脱がせたりすることが出来る。
【考案を実施するための最良の形態】
【０００６】  洋服の肩紐は後の輪に通し、マジックテープを付け胸又は腹の位置で留める事により着せたり脱がせたりすることが簡単になるだけでなく、多少の大きさはカバー出来る。
【実施例】
【０００７】  出かける時には簡単に洋服を着せることができ、雨の日はレインコートを着せることができる。
【図面の簡単な説明】
【０００８】
【図１】本考案の洋服の正面図である。
【図２】洋服の背面図である。
【図３】洋服の側面図出ある。
【符号の説明】
【０００９】  １  洋服の胸又は腹の位置で留めるマジックテープ
２  肩紐を通す輪
【図１】
0003130203.tif 000003
【図２】
0003130203.tif 000004
【図３】
0003130203.tif 000005
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
胸又は腹の位置で留めた面ファスナーにより胴回りのサイズが自由になり、背中の位置に輪を取り付け肩紐を通す事で胴の長さのサイズが自由になる事を特徴とする請求項１記載の犬や猫に着せる洋服。
【手続補正２】
【補正対象書類名】明細書
【補正対象項目名】０００４
【補正方法】変更
【補正の内容】
【０００４】  本考案は、上記目的を達成するために洋服の肩紐は後の輪に通し、面ファスナーを付け胸又は腹の位置で留めることにより問題点を解決している。
【手続補正３】
【補正対象書類名】明細書
【補正対象項目名】０００６
【補正方法】変更
【補正の内容】
【０００６】  洋服の肩紐は後の輪に通し、面ファスナーを付け胸又は腹の位置で留める事により着せたり脱がせたりすることが簡単になるだけでなく、多少の大きさはカバー出来る。
【手続補正４】
【補正対象書類名】明細書
【補正対象項目名】０００９
【補正方法】変更
【補正の内容】
【０００９】  １  洋服の胸又は腹の位置で留める面ファスナー
２  肩紐を通す輪
【手続補正書】
【提出日】平成18年11月12日(2006.11.12)
【手続補正１】
【補正対象書類名】実用新案登録請求の範囲
【補正対象項目名】全文
【補正方法】変更
【補正の内容】
【実用新案登録請求の範囲】
【請求項１】
腹部の位置で重ね合わせた部分に面ファスナーを付けることにより胴回りのサイズが自由に調整出来る事を特徴とする犬や猫に着せる洋服
【請求項２】
背面の位置に肩紐を通す為のものを取り付ける事により肩紐の長さを胴の丈にあわせ自由に調整出来る事を特徴とする請求項１記載の犬や猫に着せる洋服
(57)【要約】      （修正有）【課題】アダルトショップでも、女性が、気軽に購入して、装着できる防レイプ用の自分用貞操帯のショーツを提供する。【解決手段】炭素繊維のなかで、曲げられるが、鋏では切れなく、燃えにくい素材で、幾つかのパーツに分けて既製品にして、購入後、接着剤で体形に合わせて、接着、製品を完成する。金属製でないので抵抗感が減ります。日々の着用は鍵で行い、鍵は自分の部屋において出かけます。【選択図】図１
0003130208.tif 000002
【実用新案登録請求の範囲】
【請求項１】
製品は、S、M、L、LL、等のサイズがあります。その製品を３ないし４つのパーツに分割して販売する。消費者は購入後、自分の体形に合わせて、微調節をして、接着剤、その他で１つの物として使用します。
【考案の詳細な説明】
【背景技術】
【０００１】
接着剤の発達と新素材。例えば炭素繊維の発達。炭素繊維がどのような特許を取っているのかはわかりません。
【考案の開示】
【考案が解決しようとする課題】
【０００２】
防犯のために、家には鍵をかけますが、女性の力は弱いし運動能力は低いのに、無防備です。防犯スプレーがありますが、使う時間の無いときや、使う相手でない場合もあります。そこで、レイプ防止のために、女性に貞操帯をすすめたいのです。ですが、今ある貞操帯は本格的な金属製のオーダーメイドの製品で、きちっと採寸しなければなりません。もしくは、アダルトショップで購入する、なんの目的に使うのか疑わしい製品があるだけです。女性が、レイプ防止用に購入したくても、購入しにくい状態です。無論、鍵は自分で管理する製品です。解決しようとする問題点は、貞操帯を女性が自分用に購入しやすくする。
【課題を解決するための手段】
【０００３】
本考案は、製品をS,M、L、LL、のサイズにして既製品にして、購入後に自分の体形にあわせる。製品には、布を多用する。
【考案の効果】
【０００４】
本考案の製品ならアダルトショップのイメージが消え、購入に抵抗感がないようになる。
【考案を実施するための最良の形態】
【０００５】
鋏で切れない。けれど自由に曲がる素材でベルトパーツとカバーパーツに分ける。ベルトパーツは後ろ部で切断されていて、購入後、ウエストに合わせて、接着剤で接着する。両脇部は切断されていて数個の穴があり、微調整して鍵が掛かる。カバーパーツは体形に合わせ、バルトパーツと接着剤で接着さす。
【図面の簡単な説明】
【０００６】
【図１】キイ  ショーツの説明図である。  ベルトパーツの前部の凸部はカバーパーツの接着する時、調節するため。カバーパーツには大便用の穴のあるものと、ないものがある。小便用の隙間の大きさは、適当な網目、穴群、レースにする。普段の装着は鍵でする。
【図１】
0003130208.tif 000003
【手続補正書】
【提出日】平成18年12月20日(2006.12.20)
【手続補正２】
【補正対象書類名】実用新案登録請求の範囲
【補正対象項目名】全文
【補正方法】変更
【補正の内容】
【実用新案登録請求の範囲】
【請求項１】
ベルトパーツとカバーパーツを持ち、前記ベルトパーツは後部で切断されたものが接着剤で接着されており、両脇部は切断されていて、切断端部付近には数個の穴があり、前記穴に鍵が掛けられ、前記カバーパーツは前記ベルトパーツの前後で接着剤で接着されるショーツ。
【手続補正３】
【補正対象書類名】明細書
【補正対象項目名】全文
【補正方法】変更
【補正の内容】
【考案の詳細な説明】
【技術分野】
【０００１】
本考案は、ショーツに関するものである。
【背景技術】
【０００２】
防犯のために、家には鍵をかけるが、女性の力は弱いし、運動能力は低いのに無防備である。防犯スプレーがあるが、使う時間の無い時や、使う相手で無い場合もある。
【考案の開示】
【考案が解決しようとする課題】
【０００３】
そこで、レイプ防止のために、女性に貞操帯を勧めたいが、現在ある貞操帯は本格的な金属製のオーダーメイドの製品で、きちっと採寸しなければならない。もしくは、アダルトショップで購入するとき、何の目的に使うのか疑わしい製品があるだけである。従って、女性がレイプ防止用に購入したくても、購入しにくい状態である。無論、鍵は自分で管理する製品である。
【０００４】
本考案は、女性が自分用に購入しやすい貞操帯を提供することを目的とする。
【課題を解決するための手段】
【０００５】
本考案の課題解決の手段のショーツは、ベルトパーツとカバーパーツを持ち、前記ベルトパーツは後部で切断されたものが接着剤で接着されており、両脇部は切断されていて、切断端部付近には数個の穴があり、前記穴に鍵が掛けられ、前記カバーパーツは前記ベルトパーツの前後で接着剤で接着されることである。
【考案の効果】
【０００６】
本考案の製品ならアダルトショップで販売されるイメージが消え、購入の抵抗感が無いようになる。
【考案を実施するための最良の形態】
【０００７】
図１において説明する。接着剤の発達と新素材の発達により、これらの材料を使う。例えば、新素材の炭素繊維による鋏で切れないが、自由に曲がる素材でベルトパーツとカバーパーツを分けて作る。ベルとパーツは後部で切断されていて、使用するときは、ウエストに合わせて接着剤で接着する。両脇部は切断されていて、切断は端部付近には数個の穴があり、ウエストに合わせて切断部端部の位置を微調整して穴に鍵を掛ける。カバーパーツは体形に合わせ、ベルトパーツと接着剤で接着させる。
【０００８】
バルトパーツの前部の下向き凸部は、カバーパーツを接着するとき、体形に合わせて接着位置を調節するためのものである。カバーパーツには大便用の穴のあるものと、ないものがある。小便用の隙間は、適当な網目、穴群、レースにする。普段のショーツの装着は鍵の開閉で行う。
【０００９】
製品は、S、M、L,  LL等のサイズを用意しておく。その製品を３ないし４つのパーツに分割して販売する。消費者は購入後、自分の体形に合わせて、微調整をして、接着剤その他で1つの物として使用する。
【産業上の利用可能性】
【００１０】
本考案は、女性がレイプ防止のために、貞操帯となるショーツとして利用される。
【図面の簡単な説明】
【００１１】
【図１】本考案ショーツの分解斜視図である。
(57)【要約】【課題】利用者に対して数の情報を提供して暗算させるサイコロにおいて、現在の脳科学の理論により、左脳による論理演算に加え、アナログ情報としての単数ないしは複数の点をも活用し、右脳によるイメージ処理をなさしめ、利用者の能力を十分に引き出し、また、たとえば６と９のように、互いに形状が似ている数字について利用者に視覚的な混同を生じさせず、さらに、慣れ親しんだアナログ情報である単数ないしは複数の点による表示をも一部生かし、利用者の興味を維持向上させ、ひいては暗算能力の向上に資することを課題とする。【解決手段】サイコロの一部の面、たとえば面１、面２、面３にアナログ情報である単数ないしは複数の点による表示をし、他の面、たとえば面４、面５、面６にデジタル情報である数字を表示する。【選択図】図１
0003130201.tif 000002
【実用新案登録請求の範囲】
【請求項１】
一部の面に数字を表示し、残りの面に単数または複数の点を表示したサイコロ。
【考案の詳細な説明】
【技術分野】
【０００１】
本考案は、各面に、デジタル情報である数字とアナログ情報である単数または複数の点を混合して表示することで、利用者の暗算能力の向上に資するサイコロの提供に関するものである。
【背景技術】
【０００２】
周知のとおり、通常のサイコロの各面には、いわゆるアナログ情報として１個から６個の単数ないしは複数の点が表示されている。サイコロを暗算に利用するという発想は従来からあったが、従来の技術としては、全てのサイコロ面について、アナログ情報である単数ないしは複数の点による表示を廃し、替わりに単にデジタル情報である数字のみを表示すればよいというものにすぎなかった。これらは、単にデジタル情報である数字のみを利用者に対して提供して暗算させるというものであって、アナログ情報として単数ないしは複数の点を活用しようとする発想はなく、現在の脳科学の理論によれば、主として左脳による論理演算をなさしめるにすぎず、およそ利用者の能力を引き出すのに十分なものではなかった。また、たとえば６と９のように、互いに形状が似ている数字について利用者に視覚的な混同を生じさせるものであった。さらに、慣れ親しんだアナログ情報である単数ないしは複数の点による表示を全て廃したということは、利用者の興味を減衰させることにつながっていた。
【考案の開示】
【考案が解決しようとする課題】
【０００３】
本考案は、利用者に対して数の情報を提供して暗算させるにあたり、現在の脳科学の理論により、左脳による論理演算に加え、アナログ情報としての単数ないしは複数の点をも活用し、右脳によるイメージ処理をなさしめ、利用者の能力を十分に引き出し、また、たとえば６と９のように、互いに形状が似ている数字について利用者に視覚的な混同を生じさせず、さらに、慣れ親しんだアナログ情報である単数ないしは複数の点による表示をも一部生かし、利用者の興味を維持向上させ、ひいては暗算能力の向上に資するサイコロを提供することを課題とする。
【課題を解決するための手段】
【０００４】
以上の課題を解決するために、本考案は、一部の面にアナログ情報である単数ないしは複数の点による表示をし、他の面にデジタル情報である数字を表示したサイコロを提供する。
【考案の効果】
【０００５】
本考案によれば、暗算をするために、利用者によってサイコロの任意の面が何度か表示される場合、アナログ情報である単数ないしは複数の点による表示とデジタル情報である数字の表示が混在することになり、現在の脳科学の理論により、利用者に右脳によるイメージ処理と左脳による論理演算をなさしめ、利用者の脳の活用領域を広げ、能力を十分に引き出し、また、たとえば、６はアナログ情報として周知の６個の点で表示し、９は数字で表示すれば、利用者に視覚的な混同を生じさせず、さらに、慣れ親しんだアナログ情報である単数ないしは複数の点による表示が一部あることより、利用者に興味を維持向上させ、ひいては暗算能力を向上させることができる。
【考案を実施するための最良の形態】
【０００６】
本考案の一実施形態を、図１、図２に示す。
図１はサイコロの展開図である。図１のサイコロの面１には４個の点が表示され、面２には５個の点が表示され、面３には６個の点が表示され、面４には数字の７が表示され、面５には数字の８が表示され、面６には数字の９が表示されている。図２は図１の見取り図である。図３は本考案を合計４個使用した場合の平面図である。図４は本考案を合計８個使用した場合の平面図である。
【実施例１】
【０００７】
この実施形態によるサイコロを複数使用した場合による加算の暗算の効果を示す。図３では、利用者は、第１に１０の桁を先に計算し、９＋５＝１４を算出する。第２に１の位の桁を計算し、８＋４＝１２を算出する。第３に１の位の和が１０以上なので、１００の位と１０の位は１と５に確定する。よって答えは１５２となる。図４では、第１に１０００の桁を計算し、９＋６＝１５を算出する。第２に１００の位の桁を計算し、８＋５＝１３を算出する。第３に１００の位の和が１０以上なので、１００００の位と１０００の位は１と６に確定する。第４に１０の桁を計算し、７＋４＝１１を算出する。第５に１０の位の和が１０以上なので、１００の位は４に確定する。第６に１の位の桁を計算し、６＋４＝１０を算出する。第７に１の位の和が１０以上なので、１０の位は２に確定する。よって答えは１６４２０となる。たとえば、暗算に慣れていない小学生の利用者の場合、以上の暗算の過程において、６＋４については、アナログ情報である複数の点の表示を見て、簡単に加算することができる。また、９＋５、８＋４、９＋６、８＋５、７＋４については、いずれもデジタル情報である数字とアナログ情報である複数の点の表示を見て加算するものである。たとえば、９＋５については、アナログの５個の点のうち１個の点を９に加算し１０を算出し、残りの４個の点を加算し、答えの１４を算出できる。このように、大きいほうの数がデジタル情報である数字で示され、小さいほうの数がアナログ情報である単数ないしは複数の点で表示されると暗算をより正しく早く行うことに資する。そして、このように、アナログ情報である点を利用した加算ができるようになれば、数字と数字の加算についても、その組み合わせは少ないので容易にできるようになる。また、利用者は、表示された数を視覚的に混同することはない。さらに、慣れ親しんだサイコロの延長として認識することから、利用者は興味を維持向上させ、ひいては暗算能力を向上させることができる。
【図面の簡単な説明】
【０００８】
【図１】この考案の一実施形態を示す展開図である。
【図２】図１の見取図である。
【図３】本考案を合計４個使用した場合の平面図である。
【図４】本考案を合計８個使用した場合の平面図である。
【符号の説明】
【０００９】
１  サイコロの面
２  サイコロの面
３  サイコロの面
４  サイコロの面
５  サイコロの面
６  サイコロの面
【図１】
0003130201.tif 000003
【図２】
0003130201.tif 000004
【図３】
0003130201.tif 000005
【図４】
0003130201.tif 000006